(57)【特許請求の範囲】
【請求項１】
給紙台上に積層されたシートを、給紙ローラと該給紙ローラの外周面に対向して配設した捌き板との間を通過させて送出する新聞広告丁合装置の給紙装置において、
前記捌き板の下面に、後部に弾性材製の引掛片を下向きに突設した支持板を固着して捌き板ユニットとし、
給紙ローラの中心軸と平行な軸線のまわりに揺動自在に支持される揺動台に、前記捌き板ユニットの下部が嵌脱される上向きに開口する凹穴と、この凹穴への嵌込時に前記捌き板ユニットの前部に係合する掛止片および前記引掛片に係合する係止片とを設け、
前記捌き板ユニットを、前記揺動台に着脱自在に取付けたことを特徴とする新聞広告丁合装置の給紙装置。
【発明の詳細な説明】
【０００１】
【発明の属する技術分野】
この発明は、新聞広告丁合装置で用いられる、積重ね状態のシートを１枚ずつ分離して送出する給紙装置に関する。
【０００２】
【従来の技術】
数種類のちらしを一枚ずつ寄せ集めて１セットにし新聞に差込むための新聞広告丁合装置において、供給台上に積重ねたちらしを一枚ずつ送り出す給紙装置としては、給紙台上に積層されたシートを、給紙ローラと該給紙ローラの外周面に対向して配設した重送（二重送り）防止用の捌き板との間を通過させて送出する給紙装置が、広く用いられている。
【０００３】
上記の捌き板はゴム製であり、その上面をシートが圧接状態で通過するので、使用期間の経過により摩耗が進行するため、数カ月〜１年に１回は交換を必要とするものである。ところが上記従来の給紙装置において捌き板は、給紙ローラの中心軸と平行な軸線のまわりに揺動自在に支持された揺動台の上面に接着等により固着されていたので、捌き板の交換は揺動台ごとおこなわねばならず、揺動台の脱着のためには給紙台部の大がかりな分解組立作業や再組立後の調整作業が必要であり、熟練と手数を要し、装置の停止時間もかかるという問題点があった。
【０００４】
この捌き板の交換可能なものとしては、実公平５ー２５０４号公報により提案された紙捌き部材があるが、これは紙送り方向上流側の滑り面を形成する滑面体を揺動台上に具備する特殊な形式のものに限られるため、この滑面体を具備せず捌き板の上流側でのシートのガイドは給紙台のカバーでおこなうという一般的な構造の新聞広告丁合装置の給紙装置には適用できないものであるうえ、滑面体，そのガイド機構，スプリング等、部品点数が多く構造が複雑で製作費もかさむという問題点を有するものである。
【０００５】
【発明が解決しようとする課題】
この発明は上記従来の問題点を解決しようとするものであり、捌き板の交換を迅速容易におこなえ、構造も簡潔で、揺動台上に滑面体を具備しない一般的な新聞広告丁合装置の給紙装置に適用できる給紙装置を提供することを目的とする。
【０００６】
【課題を解決するための手段】
上記目的を達成するためにこの発明の新聞広告丁合装置の給紙装置は、給紙台上に積層されたシートを、給紙ローラと該給紙ローラの外周面に対向して配設した捌き板との間を通過させて送出する新聞広告丁合装置の給紙装置において、前記捌き板の下面に、後部に弾性材製の引掛片を下向きに突設した支持板を固着して捌き板ユニットとし、給紙ローラの中心軸と平行な軸線のまわりに揺動自在に支持される揺動台に、前記捌き板ユニットの下部が嵌脱される上向きに開口する凹穴と、この凹穴への嵌込時に前記捌き板ユニットの前部に係合する掛止片および前記引掛片に係合する係止片とを設け、前記捌き板ユニットを、前記揺動台に着脱自在に取付けたことを特徴とする。
【０００７】
この発明において「前」側とはシート送り方向の上流側を称し、「後」側とはシート送り方向の下流側を称するものとする。
【０００８】
またこの発明において弾性材とは、捌き板ユニットを揺動台に着脱する際に支持板の引掛片が弾性変形して揺動台の係止片に係脱でき、給紙中には引掛片が係止片から簡単に外れない程度の弾性を有するものであって、この弾性材としてはたとえばＡＢＳ樹脂やポリアセタール樹脂などの樹脂材を好適に使用することができるが、この他にたとえばアルミや鋼などの金属材を使用することもできる。
【０００９】
この発明の給紙装置によれば、捌き板ユニットの下部を揺動台の凹穴内に挿入しつつ捌き板ユニットの後部を圧下することにより、捌き板ユニットの引掛片が弾性変形して揺動台の係止片に係合し、捌き板ユニットは揺動台に迅速容易に取付けられる。この取付状態においては、捌き板ユニットの下部が揺動台の凹穴に嵌合して捌き板ユニットの前後左右へのずれが防止され、捌き板ユニットの前部と掛止片、および引掛片と係止片の各係合により、捌き板ユニットの上方への離脱が防止されて、捌き板ユニットは揺動台と一体となって捌き板によるシートの重送防止作用が得られる。
【００１０】
また捌き板を交換する際には、捌き板ユニットの後端部を揺動台の後端部から上方へ離間させるように押上げれば、引掛片が弾性変形して係止片から離脱し、次いで捌き板ユニットを凹穴内から斜め後方へ引出すことにより、捌き板ユニットは揺動台から迅速容易に取外すことができる。
【００１１】
【発明の実施の形態】
以下図１〜図１０に示す一例により、この発明の実施の形態を説明する。図１および図２は、新聞広告丁合装置の給紙装置１を示し、基枠である左右のフレーム（図示しない）間に、水平方向に延びる給紙台２が、上下に間隔をおいて複数段設置され、各給紙台２の先端部付近に給紙ローラ３と補助ローラ４を配設してある。給紙台２は、両端部をフレームに固着された上向きに開口する梁状のテーブル部５と、フレームにピン６により傾動自在に支持された傾斜板部７とから成り、テーブル部５の上面は、後述の捌き板１１が露出する穴５ｂ部を除いてカバー５ａによって覆われ、給紙対象であるちらし８は傾斜板部７およびカバー５ａ上に積層状態で載せられている。
【００１２】
給紙ローラ３は、外周部に鋸歯状の凹凸を有するゴムタイヤ３ａをそなえ、上段側のテーブル部５に垂設固定したブラケット（図示しない）に回転自在に支持されたローラ駆動軸９により、矢印Ｒで示す回転方向に間欠駆動される。また補助ローラ４は、外周部に給紙ローラ３と同様なゴムタイヤをそなえ、ローラ駆動軸９に揺動自在に支持された揺動アーム（図示しない）に軸支され、図示しないタイミングベルトにより給紙ローラ３と連動して回転し、給紙時に最上層のちらし８を摩擦駆動するためのもので、たとえば実公平１−１４５８６号公報記載のものなど、公知の各形式のものを用いる。
【００１３】
給紙ローラ３の下方には、ちらし８の重送（二重送り）防止用のゴム製の捌き板（駒片）１１が設けてある。この捌き板１１の下面側には、ＡＢＳ樹脂製の支持板１２を接着と押え金具１３の締付けにより固着して、捌き板１１と支持板１２が一体となった捌き板ユニット１０（図３参照）を形成しており、この捌き板ユニット１０は、テーブル部５の底部に立設したブラケット２１により給紙ローラ３の中心軸と平行な軸線２２のまわりに揺動自在に支持された揺動台３０に、着脱自在に取付けてある。２３は揺動台３０の支軸である。
【００１４】
図３〜６に示すように、捌き板ユニット１０の構成部材である支持板１２の後部（この例では後端部）には、下向きに２個の引掛片１４を突設してあり、１４ａはこの引掛片１４の下部に形成した断面先細状の爪部、１５はこの爪部１４ａ側が矢印Ｘ（図６参照）で示す前後方向に弾性変形しやすいように、引掛片１４を薄肉にするため設けた凹溝部である。また１６は押え金具１３締付用のねじ、１７はこのねじ１６がねじ込まれる金属板で、支持板１２の前部裏面側に設けた浅い凹穴部１８内に嵌込まれている。
【００１５】
また揺動台３０は金属製で、図７〜８にも示すように、その上面側に、捌き板ユニット１０の下部（この例では支持板１２部とこれに隣接する捌き板１１の下部）が嵌脱される凹穴３１を設けてあり、またこの凹穴３１の後端部側壁３２の下部を切欠いて、捌き板ユニット１０の引掛片１４（詳しくはその爪部１４ａ）に係合する係止片３３を、２個所に形成してある。３４は爪部１４ａが挿入される穴である。また凹穴３１の前部には、捌き板ユニット１０の前部１０ａに係合する掛止片３５が、凹穴３１上に突出する形で設けられている。
【００１６】
また図１および図９において、４０は、ちらしの紙質や厚さ、印刷状態などに応じてちらしを確実に供給するために、捌き板１１と給紙ローラ３との間隙あるいは圧接量を調整する間隙調整機構で、揺動台３０の後端部に傾斜台４１をねじ止めし、この下側の傾斜面４１ａに当接するボール４２を保持しブラケット２１を貫通して延びる棒状のホルダー４３を、矢印Ｙ方向に進退させて、揺動台３０の傾斜量を調整するものであり、ホルダー４３はたとえば実公昭５５ー３８９２２号公報に記載されているようなつまみの回転操作により進退駆動されるものである。
【００１７】
上記構成の給紙装置において、図１に示すように捌き板ユニット１０を揺動台３０に取付けた状態においては、捌き板ユニット１０の下部は揺動台３０の凹穴３１に嵌合し、これにより捌き板ユニット１０（従って捌き板１１）の揺動台３０に対する前後左右へのずれが防止され、また捌き板ユニット１０の前部１０ａは掛止片３５に係合し、支持板１２の引掛片１４は係止片３３に係合しているので、捌き板ユニット１０の揺動台３０からの上方への離脱は防止される。このようにして揺動台３０と一体となった捌き板１１は、給紙ローラ３および通過するちらし８により下向きの力を受けつつ、間欠回転する給紙ローラ３と共働してちらし８を１枚ずつ送出する。
【００１８】
捌き板１１の上面部の摩耗が進行して、間隙調整機構４０による調整では不充分となったら、捌き板ユニット１０を次のようにして交換する。すなわち、図１０に示すように給紙台２上のちらし８を除去した状態で、給紙ローラ３のゴムタイヤ３ａを取外してローラ本体３ｂのみとしたのち、カバー５ａの穴５ｂおよびこれと同様に切欠いたテーブル部５の切欠５ｃ部から、指Ｆあるいは適当な棒片などを差込んで、捌き板ユニット１０の後端部（この例では捌き板１１の後端部）を揺動台３０の後端部から矢印Ｐで示すように上方へ離間させる。
【００１９】
この離間力によって、支持板１２の引掛片１４が爪部１４ａが後側に向うように弾性変形して、爪部１４ａと揺動台３０の係止片３３との係合が外れ、捌き板ユニット１０は図に示す傾斜状態となるので、次に図中矢印Ｑで示すように捌き板ユニット１０を斜め後方へ引出せば、揺動台３０から取外すことができる。
【００２０】
そこで予め用意した新しい捌き板ユニット１０を、上記取外し時と逆方向に逆の手順で、その前部を凹穴３１内に斜めに挿入したのち、捌き板１１の後端部を下方へ指などで押圧することにより、引掛片１４を弾性変形させてその爪部１４ａを係止片３３に係合させれば、新しい捌き板ユニット１０は揺動台３０に取付けられる。そこでゴムタイヤ３ａをローラ本体３ｂに嵌着すれば、ちらし８の送出を再開できる。
【００２１】
取外した捌き板ユニット１０は、摩耗した捌き板１１を支持板１２から取外し、新しい捌き板１１を支持板１２に取付けることにより、支持板１２は繰返して使用することができる。
【００２２】
このように捌き板１１は、捌き板ユニット１０として揺動台３０に迅速容易に着脱でき、またスライド部品やそのガイド機構およびスプリング等の部品を必要としない簡潔な構造によって、捌き板１１の交換がおこなえるのである。
【００２３】
この発明は上記の例に限定されるものではなく、たとえば捌き板１１の支持板１２への固着方法は、上記の接着と押え金具併用以外の方法によってもよい。また支持板１２の引掛片１４は、爪部１４ａを有するものの他、平板片状の引掛片１４の下部に部分球面状などの凸部を設け、揺動台３０の係止片３３部にこの凸部が嵌脱する小穴などを設けたり、反対に係止片３３部に上記凸部を設け、引掛片１４にこの凸部が嵌脱する小穴を設けるなど、引掛片１４と係止片３３の具体的形状は上記以外のものとしてもよい。また引掛片１４は、上記の例のように前後方向（矢印Ｘ方向）に弾性変形して係止片に係脱するものの他、これに直交する左右方向（矢印Ｙ方向）に弾性変形して係止片に係脱するものとしてもよく、この場合係止片はこれに合せてたとえば凹穴３１の左右側壁部などに設ければよい。
【００２４】
また上記の例では引掛片１４を支持板１２の後端部に設けたが、この後端部よりも前側寄りの位置に設けてもよく、また上記の例では引掛片１４を支持板１２と一体に設けたので、部品点数が少ないという長所を有するものであるが、支持板とは別の部品である弾性材料製の引掛片を支持板に取付けて用いてもよく、この場合は支持板は弾性材料で構成する必要がないので材料選択巾が広がる。
【００２５】
またこの発明は、上記間隙調整機構４０以外の間隙あるいは圧接力調整機構をそなえた新聞広告丁合装置の給紙装置にも広く適用できるものであり、揺動台３０の具体的形状も上記以外のものとしてもよい。
【００２６】
【発明の効果】
以上説明したようにこの発明の新聞広告丁合装置の給紙装置によれば、捌き板は、捌き板ユニットとして揺動台に迅速容易に着脱できるので、構造が簡潔な装置によって捌き板の交換を迅速容易におこなえ、揺動台上に滑面体を具備しない一般的な新聞広告丁合装置の給紙装置に適用できるものである。また弾性材製の引掛片は捌き板ユニット側に設けられているので、引掛片部の損耗や異常変形などは、取外した捌き板ユニットから容易に発見でき、部品交換などの迅速な対応をとることができる。
【図面の簡単な説明】
【図１】この発明の実施の形態の一例を示す給紙装置の縦断面図（図２のＡ−Ａ線断面図）である。
【図２】図１の給紙装置の給紙台部分の一部切欠平面図である。
【図３】図１における捌き板ユニットの正面図である。
【図４】図３の捌き板ユニットの底面図である。
【図５】図３の矢視Ｂ−Ｂ側面図である。
【図６】図４のＣ−Ｃ線拡大断面図である。
【図７】図１における揺動台の平面図である。
【図８】図７のＤ−Ｄ線拡大断面図である。
【図９】図７の矢視Ｅ−Ｅ側面図である。
【図１０】図１の給紙装置における捌き板ユニットの着脱方法を示す縦断面図である。
【符号の説明】
１…給紙装置、２…給紙台、３…給紙ローラ、９…ローラ駆動軸、１０…捌き板ユニット、１０ａ…前部、１１…捌き板、１２…支持板、１４…引掛片、２２…軸線、３０…揺動台、３１…凹穴、３３…係止片、３５…掛止片。
【図１】
0004105844.tif 000002
【図２】
0004105844.tif 000003
【図３】
0004105844.tif 000004
【図４】
0004105844.tif 000005
【図５】
0004105844.tif 000006
【図６】
0004105844.tif 000007
【図７】
0004105844.tif 000008
【図８】
0004105844.tif 000009
【図９】
0004105844.tif 000010
【図１０】
0004105844.tif 000011